(57)【要約】【課題】  少量で皮膚保護機能を発揮できる皮膚保護成分部が塗布されたトップシートを有する吸収性物品を提供する。【解決手段】  液透過性のトップシート１１と不織布で構成されたバックシート１２と上記両シート１１、１２の間に配設される吸収体９とからなる吸収性物品において、トップシート１１の表面には、第１の保護層２１と皮膚保護成分層２２と第２の保護層２３とが積層されている。また、第１の保護層２１及び第２の保護層２３は親水性であり、皮膚保護成分層２２は疎水性である。さらに、第２の保護層２３は、その融点が第１の保護層２１よりも低く、皮膚保護成分層２２の融点以上であることを特徴とする。【選択図】  図５
2005278884.tif 000002
【特許請求の範囲】
【請求項１】
液透過性のトップシートと不織布で構成されたバックシートとの間に吸収体が配設された吸収性物品において、
上記トップシートの外表面には、親水性の第１の保護層と疎水性のローション層と親水性の第２の保護層とが順に積層されており、
上記第２の保護層は、融点が上記第１の保護層よりも低いと共に、上記ローション層の融点より高いことを特徴とする吸収性物品。
【請求項２】
上記ローション層は、上記第２の保護層に挟み込まれていることを特徴とする請求項１記載の吸収性物品。
【請求項３】
上記トップシートの表面には、上記第１の保護層及び上記ローション層が積層された第１の領域と、上記第１の保護層、ローション層及び第２の保護層が積層された第２の領域とが設けられており、
少なくとも上記第１の領域は、上記第２の領域と対向するように折りたたまれていることを特徴とする請求項１記載の吸収性物品。
【請求項４】
少なくとも上記ローション層は、上記トップシートの表面に部分的に配設されていることを特徴とする請求項１記載の吸収性物品。
【発明の詳細な説明】
【技術分野】
【０００１】
本発明は、トップシートの表面に皮膚保護成分を含有するローション剤が塗布された使い捨てタイプの紙おむつ、生理用ナプキン、失禁パッド等の吸収性物品に関する。
【背景技術】
【０００２】
従来、尿などの排泄物を吸収する吸収性物品として使い捨てタイプの紙おむつ、生理用ナプキン、失禁パッド等が数多く使用されている。これらの吸収性物品は、液透過性で着用者の皮膚と接触するトップシートと、外側の不織布で構成されたバックシートとの間に吸収体が配設されている。
【０００３】
上述のような吸収性物品は、着用者の皮膚と直接接触して擦れ、排泄物が接することにより、かぶれ等が生ずる原因ともなる。
【０００４】
そこで、着用者の皮膚を保護する目的からこれらの吸収性物品のトップシート上にローションを塗布した吸収性物品がある（特許文献１参照）。この吸収性物品に塗布されるローションは、皮膚を保護するためのエモリエント剤と所定温度で液状化する固定化剤とが混合されたものであり、疎水性である。従って、このローション組成物が融解しトップシート上に広がると、トップシートの液透過機能が低下し、結果として吸収性物品の吸収効率までも低下し、漏れにつながる。
【０００５】
また、上述のようなローションは、吸収性物品が着用されているときに液状化し皮膚保護機能を発揮するようにされているが、例えば、製品搬送中においても所定の温度に達し液状化することもあり、ローションが液状化し、着用者が着用する前に皮膚保護機能を十分発揮できないことがある。そこで、トップシート表面に皮膚保護成分を含有する層と保持層を積層したものがある（特許文献２参照。）。
【０００６】
特許文献１の吸収性物品は、ローション層が設けられているだけであり、運搬時等に高温に晒されたとき液状化してしまう。また、特許文献２の吸収性物品も、トップシートにローションが塗布されているものであるから、運搬時等に液状化すると、吸収体に吸収されてしまう。
【０００７】
【特許文献１】特開２００２−６５７２７号公報
【特許文献２】特開２００１−２０４７６１号公報
【発明の開示】
【発明が解決しようとする課題】
【０００８】
本発明は、以上のような問題点に鑑みてなされたものであり、その目的は、トップシートの液透過性を低下させることなく、トップシート上に塗布されたローションの皮膚保護機能を十分に発揮できるようにした吸収性物品を提供することにある。
【課題を解決するための手段】
【０００９】
本発明に係る吸収性物品は、液透過性のトップシートと不織布で構成されたバックシートとの間に吸収体が配設された吸収性物品であり、トップシートの外表面には、親水性の第１の保護層と疎水性のローション層と親水性の第２の保護層とが順に積層され、第２の保護層には、融点が第１の保護層よりも低いと共に、上記ローション層の融点より高いものが用いられている。着用時、皮膚に接する第２の保護層は、体温、汗等の水分等で溶解し、ローション層は、皮膚に転写される。この後、排尿等がされると、第２の保護層は、溶解し、吸収体に吸収される。
【００１０】
なお、上記ローション層は、上記第２の保護層に挟み込まれる構成としても良い。
【００１１】
また、トップシートの表面は、第１の保護層及び上記ローション層が積層された第１の領域と、第１の保護層、ローション層及び第２の保護層が積層された第２の領域とに分割し、折り畳み時に、第２の保護層同士が接し、ローション層どうしが接触しないようにしてもよい。また、無理に剥がしたとき、何れか一方の領域のローション層が剥がれてしまわないようにする。
【００１２】
ローション層は、皮膚の保護機能を発揮できれば、トップシートの全面に必ずしも設ける必要はない。
【発明の効果】
【００１３】
本発明によれば、第１の保護層と第２の保護層との間にローション層を設けており、ローション層の融点が一番低く、次いで第２の保護層の融点が低いため、着用者の肌が触れることによって融解し、ローション層を効率よく着用者の肌に転写することができる。また、第１の保護層は、その融点がローション層よりも高いため、ローション層が吸収体へ吸収されることを防止することができる。第２の保護層は、ローション層が流れ出ることを防止することができる。このため、皮膚保護成分の機能の低下を防止できるとともに、トップシートの液透過性の低下を防止することができる。
【発明を実施するための最良の形態】
【００１４】
以下、本発明を適用した使い捨てのパンツ型紙おむつを図面を参照して説明する。
【００１５】
このパンツ型紙おむつ１は、図１及び図２に示すように、前身頃２と後身頃３とが股下部４を介して一連に連結されており、周縁部１Ａ中央には、前身頃２と後身頃３に右脚回り部５Ｒ，５Ｒが凹部状に連続して設けられ、周縁部１Ｂ中央には、前身頃２と後身頃３に左脚周り部６Ｌ，６Ｌが凹部状に設けられ、図１中の上下に位置する各短辺１Ｃ、１Ｄの全長に亘って、胴回り部７Ｗ，７Ｗが設けられている。また、周縁部１Ａ、１Ｂのそれぞれの両端部には、前身頃２と後身頃３とが互いに接合される接合部８Ｒ，８Ｌが設けられている。そして、パンツ型紙おむつ１は、前身頃２の接合部８Ｒと後身頃３の接合部８Ｒ及び前身頃２の接合部８Ｌと後身頃３の接合部８Ｌとを突き合わせて超音波溶着、熱溶着等で一体的に接合される。前身頃２と後身頃３とが接合部８Ｒ，８Ｌで接合されることによって、パンツ型紙おむつ１は、前身頃２と後身頃３の右脚回り部５Ｒ，５Ｒによって右脚開口部５が構成され、前身頃２と後身頃３の左脚周り部６Ｌ，６Ｌによって左脚開口部６が構成され、前身頃２と後身頃３の胴回り部７Ｗ，７Ｗによって胴開口部７が構成される。
【００１６】
前身頃２と後身頃３の胴回り部７Ｗ，７Ｗの近傍には、胴開口部７を着用者の胴回りに密着させるための一又は複数本の弾性糸等で構成された弾性部材１０Ｗが設けられている。更に、前身頃２の弾性部材１０Ｗより股下部４側には、着用者の腹部及びその背中側に前身頃２及び後身頃３を密着させるための一又は複数本の弾性部材１０Ｂ，１０Ｂが設けられている。
【００１７】
前身頃２と後身頃３に亘る内面の中央部には、排泄物を吸収する吸収体９が配設されている。前身頃２と後身頃３とが股下部４を介して一連に連結されたパンツ型紙おむつ１は、図３に示すように、内側になる液透過性のトップシート１１と、外側になる不織布で構成されたバックシート１２とで吸収体９を挟み込むように構成されている。
【００１８】
ここで、トップシート１１は、着用者の皮膚に直接接する側の面を構成するものであり、順応性、柔軟性、非刺激性を有することが好ましいと共に、吸収体９に排泄物の水分を吸収させるため液透過性である。そこで、トップシート１１には、有孔又は無孔の不織布や多孔性プラスチックシート等が用いられる。不織布を構成する素材繊維としては、ポリエチレン、ポリプロピレン等のオレフィン系、ポリエステル系、ポリアミド系等の合成繊維の他、レーヨン、キュプラ等の再生繊維、綿等の天然繊維が用いられ、スパンレース法、スパンボンド法、サーマルボンド法、メルトブローン法、ニードルパンチ法等の加工法によって製造される。
【００１９】
また、バックシート１２は、トップシート１１とは反対側の最も外側に配置され、吸収体９が吸収した水分等の液体が外部に漏れないようにし、着用者の衣服等を汚さないようにするためのものである。バックシート１２には、例えば、ポリエチレンやポリプロピレン等の合成繊維等をエアースルー法、スパンボンド法、ポイントボンド法等の加工法によって得られた不織布を用いる。また、バックシート１２としては、ムレ防止の観点から通気性を有する遮水、透湿性シート、更には不織布と防止シートの複合シート等を用いてもよい。
【００２０】
以上のようなトップシート１１とバックシート１２とは、間に上述の吸収体９を挟み込み、周囲を超音波溶着、熱溶着等で一体的に接合される。
【００２１】
トップシート１１とバックシート１２とに挟み込まれた吸収体９の両側縁部には、図４に示すように、右脚開口部５と左脚開口部６から着用者の排泄物が横漏れすることを防止する起立カフス１３が設けられている。具体的に、起立カフス１３は、図１に示すように、トップシート１１側であって、右脚回り部５Ｒ，５Ｒと左脚周り部６Ｌ，６Ｌに沿う吸収体９の両側縁部に設けられている。この起立カフス１３は、図４に示すように、先端が吸収体９の中央に向かうように起立して設けられている。また、この起立カフス１３の先端側には、着用時、着用者の大腿部の付け根付近に密着するように弾性部材１３Ａが設けられている。このような起立カフス１３は、着用時、着用者の大腿部の付け根付近に密着することで、排泄物の水分等の液体が外に漏れないようにする。この起立カフス１３は、例えば上述のトップシート１１やバックシート１２に用いた材料で形成されており、超音波溶着、熱溶着等で取り付けられる。勿論、起立カフス１３は、トップシート１１やバックシート１２の側縁部を用いてトップシート１１やバックシート１２と一体的に設けるようにしてもよい。
【００２２】
ところで、上述したトップシート１１の表面には、図５に示すように、トップシート１１の略中央部に皮膚保護成分部２０が設けられている。この皮膚保護成分部２０は、吸収体９が配設された領域のトップシート１１の表面上に設けられている。更に具体的に、皮膚保護成分部２０は、吸収体９が存在する領域のうち、内側に傾倒している起立カフス１３が接する領域を除く、図４及び図５に示す領域Ａ内に設けられている。皮膚保護成分部２０が、接着剤の役目をして起立カフス１３とトップシート１１とが接着してしまうことを防止するためである。皮膚保護成分部２０は、トップシート１１の表面に、先ず第１の保護層２１が形成され、次いで、ローション層２２が形成され、最も外側に第２の保護層２３が形成されている。
【００２３】
第１の保護層２１は、水溶解性を有する化合物から構成されており、トップシート１１を平滑にすることができるように、トップシート１１の表面の領域Ａ内に塗布されている。
【００２４】
ローション層２２は、皮膚を排泄物との接触によるかぶれや、トップシート１１との接触による刺激から皮膚を保護するものであり、第１の保護層２１の上面に塗布されている。ローション層２２は、着用者の皮膚を保護するために、皮膚に油性膜を形成する化合物から形成されるものであり、例えば、植物油、動物油脂等からなる化合物である。また、ローション層２２は、油性膜が排泄物等の水分により皮膚より流れ落ちないような疎水性のものである。なお、ローション層２２は、上述のように油性膜を形成するもののほか、消臭効果、芳香効果等のある化合物も配合されたものであってもよい。
【００２５】
第２の保護層２３は、水溶解性を有する化合物から構成されており、ローション層２２に重ねて塗布されている。第２の保護層２３は、排泄物等の水分によって融解するように、２５℃以下の温度においても水溶解性を有する化合物から形成されている。
【００２６】
ここで、第１の保護層２１、ローション層２２、第２の保護層２３の融点は、第１の保護層２１＞第２の保護層２３≧ローション層２２となっている。すなわち、ローション層２２を挟む第１及び第２の保護層２１，２３は、ローション層２２より融点を高くしてあるので、おむつが非使用時のうちに吸収体９等に吸収されないようにしている。
【００２７】
また、最もトップシート１１側に積層された第１の保護層２１は、最も外側に積層された第２の保護層２３より融点が高い。これは、第２の保護層２３は、皮膚に触れたとき、体温等で融解し、既に融解しているローション層２２が皮膚に転写されるようにする必要がある。一方、第２の保護層２３の融解時に最下層の第１の保護層２１も融解してしまうと、既に融解しているローション層２２が吸収体９に吸収されてしまう。そこで、第１の保護層２１は、第２の保護層２１より融点が高くなっている。すなわち、皮膚保護成分部２０は、おむつ１が使用されるとき、ローション層２２が融解し、次いで又は同時に、最初に皮膚に接する第２の保護層２３が融解し、皮膚にローション層２２が転写されるようにし、ローション層２２が皮膚に転写された後、最下層の第１の保護層２１が排尿等で融解し吸収体９に吸収されるようにしている。
【００２８】
従って、例えば皮膚に接する第２の保護層２３は、融点が体温等より低めの３０℃程度が好ましい。これに対して、最下層の第１の保護層２１は、第２の保護層２３より後に融解するのであれば特に融点は限定されない。また、ローション層２２は、常温時、固体又は、ワックス状の半固体が好ましい。
【００２９】
なお、上述のような層構造を持つ皮膚保護成分部２０は、他に、図６、図７及び図８に示すような皮膚保護成分部３０、４０、５０であってもよい。
【００３０】
以下に、皮膚保護成分部３０について説明する。なお、以下皮膚保護成分部３０、４０、５０において、皮膚保護成分部２０と同様な構成には、同一の符号を付しその詳細は省略する。
【００３１】
皮膚保護成分部３０は、吸収体９が存在する領域でトップシート１１の表面上に塗布されている。皮膚保護成分部３０は、吸収体９が存在する領域のうち、起立カフス１３が接することが可能な領域を除く、図４及び図６に示す領域Ａ内に形成されている。皮膚保護成分部３０は、トップシート１１の表面に、順に、第１の保護層２１と、第２の保護層２３と、ローション層２２と、第２の保護層２３とが積層されている。つまり、皮膚保護成分部３０は、ローション層２２を上述の第２の保護層２３，２３で挟み込む構成としている。
【００３２】
また、ローション層２２は、第１の保護層２１の全面に塗布せず、例えば、所定の間隔をあけて分散配設されている。さらに、ローション層２２は、第２の保護層２３、２３で挟み込んで形成されている。これによって、皮膚保護成分部３０は、ローション層２２が着用者の皮膚に転写する状況になるまで、溶解しているローション層２２の流出を防止することができ、皮膚保護機能の効果を上げることができる。また、ローション層２２を少量で分散配設したとしても、第２の保護層２３、２３に挟まれ流出のおそれが無く、必要な量を皮膚に転写させることができる。なお、上述した皮膚保護成分部２０においても、皮膚保護成分部３０のようにローション層２２を分散配設したものであってもよい。
【００３３】
次に、図７、８に示すように、皮膚保護成分部４０、５０について説明する。パンツ型紙おむつ１は、通常、トップシート１１表面にローション層２２を形成した後、２つ折り又は３つ折りに折りたたまれ、梱包されて出荷される。
【００３４】
皮膚保護成分部４０が形成されたトップシート１１は、図７（Ａ）に示すように、折れ目線Ｂで、第１の領域４１と、第２の領域４２とに二分される。第１の領域４１の皮膚保護成分部４０は、皮膚保護成分部２０と同様に、第１の保護層２１とローション層２２と第２の保護層２３とが積層されている。第２の領域４２の皮膚保護成分部４０は、第２の保護層２３を除く第１の保護層２１とローション層２２とが積層されている。
【００３５】
パンツ型紙おむつ１は、２つ折りにされたとき、第１の領域４１に塗布された第２の保護層２３と第２の領域４２に塗布されたローション層２２とが対向するように、図７（Ａ）中矢印Ｘの方向に、折りたたまれている。このため、皮膚保護成分部４０は、２つ折りにされたときに、第１の領域４１及び第２の領域４２のローション層２２同士が接触することを避けることができる。また、第２の領域４２に第２の保護層２３を設けると、該第２の保護層２３と第１の領域４１の第２の保護層２３とが接し接合されてしまい、一方の領域の皮膚保護成分部４０が剥がれてしまうことがあるが、ここでは、第２の領域４２に第２の保護層２３を設けないようにしたことから、第１の領域４１と第２の領域４２とが重ねあわされたときにも、接合されてしまうことを防止できる。
【００３６】
また、皮膚保護成分部５０が形成されたトップシート１１は、図８に示すように、２つの折れ目線Ｃ、Ｄによって、第１の領域５１と、第２の領域５２と、第３の領域５３とに分割される。第１の領域５１及び第２の領域５２は、皮膚保護成分部２０と同様に、第１の保護層２１とローション層２２と第２の保護層２３とが積層されている。第３の領域５３は、第２の保護層２３を除く、第１の保護層２１とローション層２２とが積層されている。
【００３７】
皮膚保護成分部５０は、図８（Ａ）に示す折れ目線Ｃにおいて、矢印Ｙの方向に、第３の領域５３と第２の領域５２とが対向するように折りたたまれる。次に、皮膚保護成分部５０は、折り目線Ｄにおいて、矢印Ｚの方向に、第１の領域５１が折りたたまれる。このとき、皮膚保護成分部５０のローション層２２は、常に第１の保護層２１と第２の保護層２３とに挟まれるような状態にある。このため、皮膚保護成分部５０は、ローション層２２同士が接触することを避けることができる。また、第３の領域５３に第２の保護層２３を設けると、第２の領域５２の第２の保護層２３と接合してしまい、一方の領域の皮膚保護成分部５０が剥がれてしまうことがあるが、ここでは、第３の領域５３に第２の保護層２３を設けないようにしたことから、第２の領域５２と第３の領域５３とが重ねあわされたときにも、接合してしまうことが防止できる。なお、第１の領域５１は、３つに折りたたまれたとき、バックシート１２に接することから、第１の保護層２１とローション層２２と第２の保護層２３とが設けられている。
【００３８】
以上のような層構造を持つ皮膚保護成分部２０、３０、４０、５０が、トップシート１１の外表面に設けられたパンツ型紙おむつ１では、皮膚保護成分部２０、３０、４０、５０の第１の保護層２１と第２の保護層２３の融点がローション層２２より高いことから、融点の最も低いローション層２２が溶解しても、吸収体９にローションが吸収されてしまうことを防止することができる。また、第１の保護層２１と第２の保護層２３との関係では、皮膚に接する第２の保護層２３の融点が第１の保護層２１の融点より低いことから、着用時、最初に第２の保護層２３が溶解し、ローション層２２が皮膚に転写塗布されることになり、排尿等がされたとき、第１の保護層２１は、吸収体９に吸収される。したがって、ローション層２２は、確実に皮膚に転写塗布されることになり、皮膚保護効果を十分に発揮することができる。また、ローション層２０は、皮膚にすでに転写されていることから、排尿等が吸収体９に確実に吸収することになり、漏れを防止することができる。
【００３９】
また、上述のように、皮膚保護成分部４０、５０を適用したときには、折り畳み時に、相対向する領域において、外側の第２の保護層２３同士が接触することがなくなり、接合されてしまうことを防止することができ、例えば、それぞれの領域に第２の保護層２３を設け、第２の保護層２３同士が接合することにより一方の領域の皮膚保護成分部４０、５０が他方の領域の皮膚保護成分部４０、５０と接合してしまい、他方の領域の皮膚保護成分部４０、５０がなくなってしまうことを防止することができる。
【００４０】
以上のようなパンツ型紙おむつ１に設けられた皮膚保護成分部２０，３０，４０，５０は、トップシート１１の全面に設けても良いが、皮膚保護効果が得られる限度において部分的に塗布するようにしてもよい。また、上述のように、ローション層２２は、パンツ型紙おむつ１が着用されると、皮膚に転写されるものであるが、パンツ型紙おむつ１は、着用時、皮膚保護成分部２０が設けられた領域全てが皮膚に密着するものではなく、従って、トップシート１１の表面に残存したローション層２２部分では、排尿等を吸収しにくい。そこで、皮膚保護成分部２０，３０，４０，５０を所定パターンを有するように形成することで、排尿がトップシート１１上を拡散して効率よく吸収体９に吸収させるようにすることができる。以下、皮膚保護成分部２０を例に取り説明する。
【００４１】
図１及び図９（Ａ）に示すように、皮膚保護成分部２０は、トップシート１１の長手方向に、波線状すなわち流水模様に形成されている。トップシート１１の長手方向にストライプ状、すなわち直線状に形成した場合より、排尿をトップシート１１上で拡散することができ、且つ皮膚保護成分部２０の未塗布部を長くすることができ、胴周り部７Ｗ、７Ｗに到達する前に吸収体９に吸収させることができる。これにより、ローション層２２を伝って排尿等が両端部に達することが無くなり、胴回り部７Ｗ，７Ｗから排尿等が漏れることを防止することができる。
【００４２】
また、皮膚保護成分部２０は、図９（Ｂ）に示すように、トップシート１１の長手方向の中心線とは非平行な、具体的に、トップシート１１の長手方向の中心線と略直交する方向に流水模様に設けても良い。この場合、皮膚保護成分部２０を直線状に塗布する場合より皮膚保護成分部２０の未塗布部が長くなるが、その長さは長手方向と比べ短い。しかし、排尿は、ローション層２２を伝っても起立カフス１３にあたり、従って横漏れを防止することができる。
【００４３】
また、図９（Ｃ）に示すように、皮膚保護成分部２０は、鼠径部の周囲に、リング状に設けても良い。鼠径部に対応する位置は、トップシート１１の中で直接的に排尿等があたる位置であり、鼠径部に対向する位置を囲むように皮膚保護成分部２０を設けることで、排尿等がリング内の吸収体９で吸収される。
【００４４】
また、皮膚保護成分部２０は、図９（Ｄ）に示すように、トップシート１１の長手方向の中心線とは非平行な、具体的に、トップシート１１の長手方向の中心線に所定の角度傾けた直線状に設けても良い。この場合、図９（Ｃ）のトップシート１１の長手方向の中心線と略直交する方向に流水模様に設けた場合と同様に、排尿は、ローション層２２を伝っても起立カフス１３にあたり、従って横漏れを防止することができる。
【００４５】
更に、図９（Ｅ）に示すように、皮膚保護成分部２０は、ドット状に設けても良い。これにより排尿は、ドット状の皮膚保護成分部２０が設けられていない領域に拡散し、効率よく、吸収体９に吸収されることになる。
【００４６】
更に、図９（Ｆ）に示すように、皮膚保護成分部２０は、皮膚保護成分部２０が塗布されていない未塗布部が葉脈状となるように設けても良い。このパターンによっても、排尿は、葉脈状の皮膚保護成分部２０の未塗布部に拡散し、効率よく、吸収体９に吸収されることになる。
【００４７】
次に、皮膚保護成分部２０の塗工方法について説明する。
【００４８】
皮膚保護成分部２０は、図１０に示すように、ロール状に巻回されたロール６１からトップシート１１となる基材が供給され、その基材の表面にコーター６２から第１の保護層２１が塗布される。次に、形成された第１の保護層２１上に、コーター６３から皮膚保護成分層２２が塗布され、その形成された皮膚保護成分層２２上に、コーター６４から第２の保護層２３が塗布され、皮膚保護成分部２０が形成される。皮膚保護成分部２０の塗布パターンは、例えば、各コーター６２、６３、６４のコーターヘッドに揺動装置を取り付けることによって、流水模様等の直線状以外の塗布パターンに塗布することができる。
【００４９】
なお、皮膚保護成分部２０の塗工方法としては、上述に限らず、例えば印刷技術の応用によるグラビア塗工やフレキソ塗工や、ホットメルト接着剤の接着技術を応用した塗工方法などを用いてもよい。
【００５０】
以上、本発明を適用したパンツ型紙おむつ１を例に取り説明したが、本発明はこれに限定されるものではなく、新生児用のテープ式おむつや、生理用ナプキン、失禁パッド等にも適用することができる。
【００５１】
なお、上述のように、皮膚保護成分部２０、３０、４０、５０の塗布パターンとして、図９（Ａ）〜（Ｆ）に示すような塗布パターンに限らず、直線状のものを含めた種々の塗布パターンを適用してもよい。
【実施例】
【００５２】
以下、上述した皮膚保護成分部２０を所定パターンに塗布した実施例、及び実施例に対して比較するための比較例について説明する。
【００５３】
＜実施例１＞
実施例１では、図９（Ａ）に示すように、皮膚保護成分部２０がトップシート１１の長手方向の中心線に、流水模様に形成されている。
【００５４】
＜実施例２＞
実施例２では、図９（Ｂ）に示すように、皮膚保護成分部２０がトップシート１１の長手方向の中心線とは非平行な、具体的に、トップシート１１の長手方向と略直交する方向に流水模様に形成されている。
【００５５】
＜実施例３＞
実施例３では、図９（Ｃ）に示すように、皮膚保護成分部２０が鼠径部の周囲に、リング状に形成されている。
【００５６】
＜実施例４＞
実施例４では、図９（Ｄ）に示すように、皮膚保護成分部２０がトップシート１１の長手方向の中心線とは非平行な、具体的に、トップシート１１の長手方向の中心線に所定の角度傾けた直線状に形成されている。
【００５７】
＜実施例５＞
実施例５では、図９（Ｅ）に示すように、皮膚保護成分部２０がトップシート１１上にドット状に形成されている。
【００５８】
＜実施例６＞
実施例６では、図９（Ｆ）に示すように、トップシート１１の皮膚保護成分部２０が塗布されていない部分が葉脈状となるように形成されている。
【００５９】
＜比較例１＞
比較例１では、トップシート１１上に何も塗られていない。
【００６０】
＜比較例２＞
比較例２では、皮膚保護成分部２０がトップシート１１の長手方向の中心線に平行にストライプ状に形成されている。
【００６１】
次に、得られた各実施例及び各比較例に対して、液流れの長さについて計測した。
【００６２】
以下、表１に、各実施例及び各比較例における液流れの長さについて計測した結果を示す。
【００６３】
【表１】
2005278884.tif 000003
【００６４】
なお、液流れの長さは、次のように計測した。図１１に示すように、まず、水平面に対して４５°に傾斜した傾斜板１００に、実施例１〜６及び比較例１、２のパターンに皮膚保護成分部２０が塗布されたパンツ型紙おむつ１をバックシート１２が傾斜板１００と対向し、前身頃２が傾斜板１００の上方で、後身頃３が傾斜板１００の下方に位置するようにセットする。滴下点１０１は、縦方向中心線上で前身頃２側の吸収体９の長手方向端部から後身頃３へ１０ｃｍ移動した位置である。また、滴下器１０２は、パンツ型紙おむつ１の滴下点１０１から鉛直方向に１ｃｍ離間した位置において、人工尿を１２．５ｍｌ／ｓｅｃで７０ｍｌを約５．６秒でパンツ型紙おむつ１に滴下する。滴下器１０２への人工尿の注入は、２５ｍｌ／ｓｅｃで図示しない注入器によって行われる。液流れの長さは、トップシート１１の滴下点１０１からトップシート１１表面を傾斜板１００下方に液状に流れた最高到達距離を計測する。また、上記作業を１０分間隔にて計３回行い、それぞれの最高到達距離を計測する。各実施例サンプル計測時には、同じパンツ型紙おむつ１を使用し、トップシート１１のみを張り替えて計測を行った。表１は、それぞれの実施例及び比較例についての液流れの長さ（ｍｍ）を示した。
【００６５】
なお、各実施例は、人工尿が吸収体９の幅方向に流れ、起立カフス１３によって塞き止められる場合も同様の測定を行った。また、その際の計測結果は、表１中で斜線太字で示した。また、液流れの長さを計測する際のパンツ型紙おむつ１は、大王製紙社製ＧＯＯ．ＮのＭサイズを使用した。
【００６６】
表１に示す計測結果から、皮膚保護成分部２０が塗布されている実施例１〜６及び比較例２は、皮膚保護成分部２０が塗布されていない比較例１に比べ、液流れの長さは長いことがわかる。また、皮膚保護成分部２０が所定のパターンに塗布されている実施例１〜６は、皮膚保護成分部２０がトップシート１１の長手方向に平行にストライプ状に塗布されている比較例２に比べ、液流れの長さがいずれの計測においても１５０ｍｍを上回ることはないことがわかる。
【００６７】
比較例１は、皮膚保護成分部２０が一切塗布されていないことから、トップシート１１が着用者の皮膚と直接接触して擦れ、排泄物が接することにより、かぶれ等が生ずる原因になる。
【００６８】
比較例２は、２回目の計測時の液流れの長さが１６０ｍｍであり、３回目の計測時の液流れの長さが２１５ｍｍである。液流れの長さが１５０ｍｍ以上になると、胴回り部７Ｗからの漏れの原因となるといわれ、比較例２は、２回目の計測時から１５０ｍｍを超えていることがわかる。
【００６９】
これらの比較例に対し、各実施例は、縦方向の中心線とは非平行となるように皮膚保護成分部２０を設けているので、胴回り部７Ｗからの漏れにつながる液流れの長さを抑えることができ、且つ、ローション剤の塗布によるかぶれを抑えることができる。
【００７０】
以上のことから、縦方向中心線とは非平行となるように皮膚保護成分部２０を設けることは、胴回り部７Ｗからの漏れを防ぐ上で大変重要であることがわかる。
【図面の簡単な説明】
【００７１】
【図１】本発明を適用したパンツ型紙おむつの展開図である。
【図２】本発明を適用したパンツ型紙おむつの正面図である。
【図３】図１中のIII−III切断面に相当する要部断面図である。
【図４】起立カフスの一部切抜き斜視図である。
【図５】トップシート表面に塗布されたローション層の要部拡大断面図である。
【図６】トップシート表面に塗布された別のローション層の要部拡大断面図である。
【図７】トップシート表面に塗布されたローション層の要部拡大断面図であり、（Ａ）は、トップシートが２つ折りに折りたたまれる前のローション層の要部拡大断面図であり、（Ｂ）は、トップシートを２つ折りにした状態のローション層の要部拡大断面図である。
【図８】トップシート表面に塗布されたローション層の要部拡大断面図であり、（Ａ）は、トップシートが３つ折りに折りたたまれる前のローション層の要部拡大断面図であり、（Ｂ）は、トップシートを３つ折りにした状態のローション層の要部拡大断面図である。
【図９】（Ａ）〜（Ｆ）は、トップシート表面に塗布されたローション層のそれぞれ他の塗布パターンを模式的に示した平面図である。
【図１０】トップシート表面にローション層を形成する工程を説明する概略側面図である。
【図１１】皮膚保護成分部が形成された塗布パターンにおける液流れの長さを計測する方法を説明するための概略図である。
【符号の説明】
【００７２】
１  パンツ型紙おむつ、２  前身頃、３  後身頃、４  股下部、５  右脚開口部、５Ｒ  右脚周り部、６  左脚開口部、６Ｌ  左脚周り部、７  胴開口部、７Ｗ  胴周り部、８Ｒ，８Ｌ  接合部、９  吸収体、１０Ｗ，１０Ｂ  弾性部材、１１  トップシート、１２  バックシート、１３  起立カフス、２０，３０，４０，５０  皮膚保護成分部、２１  第１の保護層、２２  ローション層、２３  第２の保護層、４１、５１  第１の領域、４２，５２  第２の領域、５３  第３の領域
【図１】
2005278884.tif 000004
【図２】
2005278884.tif 000005
【図３】
2005278884.tif 000006
【図４】
2005278884.tif 000007
【図５】
2005278884.tif 000008
【図６】
2005278884.tif 000009
【図７】
2005278884.tif 000010
【図８】
2005278884.tif 000011
【図９】
2005278884.tif 000012
【図１０】
2005278884.tif 000013
【図１１】
2005278884.tif 000014